(57)【要約】【課題】カメラ使用状態における撮像素子の焼き付きを防止する。【解決手段】カメラは、ファインダ光学系への光路と、被写体を撮像する撮像素子１０７への光路とを切り換えるミラー１０１と、撮像素子１０７から出力される画像信号に基づいて生成された画像を表示する表示部１２０と、画像信号の中に一定光量以上の出力を有する高輝度被写体を示す信号が含まれているか否かを判定する判定手段と１１７、判定手段１１７により高輝度被写体を示す信号が含まれていると判定されると、表示部１２０に警告を表示する警告手段１１７とを備える。【選択図】図２
2008219712.tif 000002
【特許請求の範囲】
【請求項１】
ファインダ光学系への光路と、被写体を撮像する撮像素子への光路とを切り換えるミラーと、
前記撮像素子から出力される画像信号に基づいて生成された画像を表示する表示部と、
前記画像信号の中に一定光量以上の出力を有する高輝度被写体を示す信号が含まれているか否かを判定する判定手段と、
前記判定手段により一定光量以上の出力を有する前記高輝度被写体を示す信号が含まれていると判定されると、前記表示部に警告を表示する警告手段とを備えることを特徴とするカメラ。
【請求項２】
請求項１に記載のカメラにおいて、
前記判定手段は、
単位時間当たりの露光量が最小となる露出値で前記被写体を撮像した場合に得られる前記画像信号に基づいて、前記画像信号の中に一定光量以上の出力を有する前記高輝度被写体を示す信号が含まれているか否かを判定することを特徴とするカメラ。
【請求項３】
請求項１または２に記載のカメラにおいて、
前記警告手段による警告の後、前記撮像素子へ入射する光路を遮断する遮断手段をさらに備えることを特徴とするカメラ。
【請求項４】
請求項３に記載のカメラにおいて、
前記遮断手段は、前記ミラーによる光路の遮断、および前記撮像素子への入射光路に設けられるシャッタによる光路の遮断のいずれかを実行することを特徴とするカメラ。
【請求項５】
請求項１乃至４のいずれか一項に記載のカメラにおいて、
前記画像信号の中に一定光量以上の出力を有する前記高輝度被写体を示す信号が継続して含まれている時間を計測する第１の時間計測手段をさらに備え、
前記警告手段は、前記計測された時間が所定時間以上の場合に前記表示部に警告を表示することを特徴とするカメラ。
【請求項６】
請求項５に記載のカメラにおいて、
前記警告の後、前記画像信号の中に一定光量以上の出力を有する前記高輝度被写体を示す信号が継続して含まれている時間を計測する第２の時間計測手段をさらに備え、
前記遮断手段は、前記計測された時間が所定時間以上の場合に、前記撮像素子へ入射する光路を遮断することを特徴とするカメラ。
【請求項７】
請求項１乃至６のいずれか一項に記載のカメラにおいて、
前記判定手段は、前記画像信号中の特定の画素の出力値に基づいて判定を行うことを特徴とするカメラ。
【発明の詳細な説明】
【技術分野】
【０００１】
本発明は、撮像素子の保護機能を有するカメラに関する。
【背景技術】
【０００２】
従来から、電源を切る際に、無限遠の被写体が撮像素子に結像しないように、レンズの焦点を至近側に駆動して、高輝度の光の入射による撮像素子およびフィルタの焼き付きを防ぐカメラが知られている（たとえば特許文献１）。
【特許文献１】特開２０００−２０９４９１号公報
【発明の開示】
【発明が解決しようとする課題】
【０００３】
しかしながら、従来の技術のカメラでは、カメラ非使用時における撮像素子の焼き付き防止を意図しており、カメラ使用状態における撮像素子の焼き付きを防止できない。
【課題を解決するための手段】
【０００４】
請求項１の発明によるカメラは、ファインダ光学系への光路と、被写体を撮像する撮像素子への光路とを切り換えるミラーと、撮像素子から出力される画像信号に基づいて生成された画像を表示する表示部と、画像信号の中に一定光量以上の出力を有する高輝度被写体を示す信号が含まれているか否かを判定する判定手段と、判定手段により一定光量以上の出力を有する高輝度被写体を示す信号が含まれていると判定されると、表示部に警告を表示する警告手段とを備えることを特徴とする。
請求項２の発明は、請求項１に記載のカメラにおいて、判定手段は、単位時間当たりの露光量が最小となる露出値で被写体を撮像した場合に得られる画像信号に基づいて、一定光量以上の出力を有する高輝度被写体を示す信号が含まれているか否かを判定することを特徴とする。
請求項３の発明は、請求項１または２に記載のカメラにおいて、警告手段による警告の後、撮像素子へ入射する光路を遮断する遮断手段をさらに備えることを特徴とする。
請求項４の発明は、請求項３に記載のカメラにおいて、遮断手段は、ミラーによる光路の遮断、および撮像素子への入射光路に設けられるシャッタによる光路の遮断のいずれかを実行することを特徴とする。
請求項５の発明は、請求項１乃至４のいずれか一項に記載のカメラにおいて、画像信号の中に一定光量以上の出力を有する高輝度被写体を示す信号が継続して含まれている時間を計測する第１の時間計測手段をさらに備え、警告手段は、計測された時間が所定時間以上の場合に表示部に警告を表示することを特徴とする。
請求項６の発明は、請求項５に記載のカメラにおいて、警告の後、画像信号の中に一定光量以上の出力を有する高輝度被写体を示す信号が継続して含まれている時間を計測する第２の時間計測手段をさらに備え、遮断手段は、計測された時間が所定時間以上の場合に、撮像素子へ入射する光路を遮断することを特徴とする。
請求項７の発明は、請求項１乃至６のいずれか一項に記載のカメラにおいて、判定手段は、画像信号中の特定の画素の出力値に基づいて判定を行うことを特徴とする。
【発明の効果】
【０００５】
本発明によれば、表示部に画像を表示中に所定の時間以上継続して一定光量以上の出力を有する画像信号を検出すると、表示部に警告を表示することができる。
【発明を実施するための最良の形態】
【０００６】
−第１の実施の形態−
図１〜図５を参照して、本発明によるカメラの第１の実施の形態を説明する。図１は電子カメラ１００の要部構成図である。図２は、電子カメラ１００の制御系のブロック図である。図１に示す電子カメラ１００には、撮影レンズＬ１と絞り２０１とを備える交換レンズ２００が着脱可能に装着されている。
電子カメラ１００は、図１および図２に示すように、クイックリターンミラー１０１、焦点板１０２、ペンタプリズム１０３、測光センサ１０４、接眼レンズ１０５、シャッタ１０６、撮像素子１０７、焦点検出用センサ１０８、ＡＦＥ(Analog Front End)回路１１１、タイミングジェネレータ１１３、画像処理部１１４、圧縮回路１１５、ＲＡＭ１１６、ＣＰＵ１１７、ＲＯＭ１１８、ＬＣＤ駆動回路１１９、ＬＣＤ１２０、操作部１２１、カードインタフェース１２２、およびメモリカード１２３を有する。
【０００７】
本実施の形態のカメラにおいては、たとえば電子カメラの動作モードとして撮影モードやライブビューモードが設けられている。撮影モードとしては、静止画モード、動画モードなどが設けられている。静止画モードが選択されると、撮影コマごとにクイックリターンミラー１０１のアップ・ダウン駆動を行い、後述のようにして静止画の撮影および記録をする。動画モードの場合は、クイックリターンミラー１０１を図１の実線で示すアップ位置で保持させた状態で、動画をＬＣＤ１２０に表示しながら撮影および記録を行なう。ライブビューモードは、静止画モード設定時にレリーズ前に画像を動画としてＬＣＤ１２０に表示するモードである。
【０００８】
まず、静止画モードが設定され、ライブビューモードが非設定の場合について説明する。
交換レンズ２００を通過して電子カメラ１００に入射した被写体光は、シャッタレリーズ前は図１において実線で示すように位置するクイックリターンミラー１０１で上方へ導かれて焦点板１０２に結像する。焦点板１０２に結像した被写体像は、ペンタプリズム１０３により接眼レンズ１０５へ導かれる一方、測光センサ１０４にも導かれる。測光センサ１０４は、複数の光電変換素子を備えたＣＣＤイメージセンサなどによって構成される。測光センサ１０４は、ペンタプリズム１０３から入射する入射光束を光電変換した光電変換信号を測光信号としてＣＰＵ１１７へ出力する。
【０００９】
被写体光の一部はクイックリターンミラー１０１の半透過領域を透過し、サブミラー１１０１ａにて下方に反射され、焦点検出用センサ１０８へ入射される。焦点検出用センサ１０８は、たとえば、焦点検出光束を一対の焦点検出用光像に分割して結像する焦点検出光学系と、分割された一対の光像が入射し、それに応じた焦点検出信号を出力する一対のＣＣＤラインセンサとを備える。ＣＣＤラインセンサから出力される焦点検出信号はＣＰＵ１１７に入力される。
【００１０】
レリーズ後はクイックリターンミラー１０１が図１の破線で示される位置へ回動し、被写体光がシャッタ１０６を介して撮像素子１０７へ導かれ、その撮像面上に被写体像が結像する。撮像素子１０７は、受光した被写体光をその強度に応じた画像信号に変換するＣＣＤやＣＭＯＳなどの光電変換素子である。撮像素子１０７には、行列状に画素が配置されている。撮像素子１０７の受光素子の各画素の受光面には、Ｒ（赤色）、Ｇ（緑色）、Ｂ（青色）の各色のフィルタのいずれかがベイヤー配列で取り付けられている。各フィルタの前面（被写体側）には、受光感度を上げるためにマイクロレンズがそれぞれ設けられている。
【００１１】
ＡＦＥ回路１１１は、撮像素子１０７の出力する画像信号にアナログ的な処理をしてからデジタルの画像データに変換する回路である。アナログ処理には、アンプのゲインコントロールや相関二重サンプリングが含まれる。アンプのゲインは、ＣＰＵ１１７により設定されたＩＳＯ感度に基づいて決定される。タイミングジェネレータ１１３は、ＣＰＵ１１７の命令に応じて、撮像素子１０７とＡＦＥ回路１１１とにタイミング信号を出力し、撮像素子１０７とＡＦＥ回路１１１との駆動タイミングを制御する回路である。
【００１２】
ＣＰＵ１１７は、電子カメラ１００の各構成要素を制御したり、各種のデータ処理を実行する演算回路である。ＣＰＵ１１７はタイミングジェネレータ１１３を制御するほか、後述する画像処理部１１４、圧縮回路１１５、カードインタフェース１２２、ＬＣＤ駆動回路１１９を制御する。また、ＣＰＵ１１７は、前述の測光センサ１０４から出力された測光信号に基づいて算出された被写体の輝度および撮像感度（ＩＳＯ感度）に基づいて、シャッタ速度と交換レンズ２００の絞り値を演算する。さらに、ＣＰＵ１１７は、前述した焦点検出用センサ１０８から出力された焦点検出信号に基づいて、デフォーカス量などの焦点調節状態の演算を行う。
【００１３】
画像処理部１１４は、ＡＳＩＣなどにより構成される。画像処理部１１４は、画像データに対して、ホワイトバランス処理、ガンマ補正処理、色補間処理、輪郭強調、ビネット補正などの画像処理を実行する。圧縮回路１１５は、画像処理部１１４で画像処理の施された本画像データに対してＪＰＥＧ圧縮処理を実行する回路である。ＣＰＵ１１７は、ＪＰＥＧ圧縮処理された本画像データから画像ファイルを生成する。
【００１４】
メモリカードインタフェース１２２は、メモリカード１２３が着脱可能なインタフェースである。メモリカードインタフェース１２２は、ＣＰＵ１１７の制御に基づいて、画像ファイルをメモリカード１２３に書き込んだり、メモリカード１２３に記録されている画像ファイルを読み出すインタフェース回路である。メモリカード１２３はコンパクトフラッシュ（登録商標）やＳＤカードなどの半導体メモリカードである。
【００１５】
ＬＣＤ駆動回路１１９は、ＣＰＵ１１７の命令に基づいてＬＣＤ１２０を駆動する回路である。ＬＣＤ１２０は液晶表示パネルである。ＬＣＤ１２０は、液晶ビューファインダとして用いられるとともに、メモリカード１２３に記録されている画像ファイルに基づいてＣＰＵ１１７で作成された表示データの表示を行なう。また、ＬＣＤ１２０は、画像ファイルに関連する各種情報（シャッタ速度、絞り値、ＩＳＯ感度、ファイル名など）の表示を行なう。また、ＬＣＤ１２０は、後述する操作部１２１の操作に基づき、電子カメラ１００の各種設定メニュー画面の表示を行う。設定メニューの内容としては、撮影モードの設定がある。
【００１６】
ＲＡＭ１１６は、画像処理、画像圧縮処理および表示データ作成処理の途中や処理後のデータを一時的に格納するために使用される。また、連写撮影および動画撮影時に連続して撮像した複数駒の画像データを一時記憶するためにも用いられる。ＲＯＭ１１８は、ＣＰＵ１１７で実行されるプログラムデータなどを格納するメモリである。
【００１７】
操作部１２１は、ユーザの操作を受け付けるスイッチである。操作部１２１には、電源スイッチ、レリーズスイッチ、設定メニューの表示切換スイッチ、設定メニュー決定ボタンなどが含まれる。上述した撮影モードやライブビューモードの設定も操作部１２１により行なわれる。
【００１８】
次に静止画モードおよびライブビューモードが設定されている場合について説明する。
ユーザは、操作部１２１を操作することによりライブビューモードを設定することができる。ライブビューモードが設定されると、ＣＰＵ１１７は、クイックリターンミラー１０１を図１の破線で示す位置へ回動し、シャッタ１０６を開放して、撮影レンズＬ１を通過した被写体光が撮像素子１０７に導かれるようにする。そして、ＣＰＵ１１７は、撮像素子１０７からの画像信号に基づいて最適な露出値が得られるように電子シャッタのシャッタ速度を算出する。そして、たとえば１／３０秒などの所定の周期ごとに、撮像素子１０７から出力された画像信号に対して、上述した各処理が施されて生成された画像が動画像としてＬＣＤ１２０に表示される。よって、ユーザはＬＣＤ１２０に表示された画像を見ながら、撮影の構図などを決めることができる。
【００１９】
レリーズ後は、ＣＰＵ１１７により、クイックリターンミラー１０１が図１の実線で示す位置まで回動され、シャッタ１０６が閉成される。その結果、撮影レンズＬ１を通過した被写体光の撮像素子１０７への入射が一旦遮断される。そして、ＣＰＵ１１７は、静止画モードにおけるレリーズ後の場合と同様にして本撮影を行なう。
【００２０】
動画モードが設定された場合について説明する。動画モードが設定されてレリーズされた後は、ＣＰＵ１１７は、クイックリターンミラー１０１を図１の破線で示す位置へ回動し、シャッタ１０６を開放して、撮影レンズＬ１を通過した被写体光が撮像素子１０７に導かれるようにする。そして、撮像素子１０７から出力された画像信号に対して、上述した各処理が施されて生成された画像が動画像としてメモリカード１２３に記録されるとともに、ＬＣＤ１２０に表示される。ＣＰＵ１１７はレリーズされている間は上述の処理を継続する。レリーズが終了されると、ＣＰＵ１１７により、クイックリターンミラー１０１が図１の実線で示す位置まで回動され、シャッタ１０６が閉成されて、動画像の撮影が終了される。
【００２１】
次に、ライブビューモードまたは動画モードにおける撮像素子１０７の保護機能について説明する。
−ライブビューモード−
操作部１２１の操作によりライブビューモードに設定されると、上述したように撮像素子１０７に被写体光が入射する。ＣＰＵ１１７は、撮像素子１０７を構成する各画素から出力される画像信号のそれぞれに基づいて、一定光量以上の出力を有する高輝度被写体を示す信号（以後、ハイライトと呼ぶ）または、画像信号の出力が飽和している画素の有無を検出する。すなわち、ＣＰＵ１１７は、入射光量が所定の閾値を越えている画素の有無を検出する。なお、閾値は撮像素子１０７の特性に依存し、太陽等の大光量の被写体からの入射光により撮像素子１０７が焼き付きを起こさない値として、予め決定される。
【００２２】
ハイライトが検出されると、ＣＰＵ１１７は、電子シャッタによるシャッタ速度を最速とするとともに、絞り値が最大になるように絞り２０１を絞り込む、すなわち画像の単位時間当たりの露光量が最小となるように露出値を設定してハイライト検出用画像を取得する。そして、ＣＰＵ１１７は取得したハイライト検出用画像を用いて、上述したようにして、再びハイライトの有無を検出する。ハイライト検出で再度ハイライトが検出された場合、ＣＰＵ１１７は時間計測を開始する。時間Ｔ１の間は、所定の時間、たとえば１秒ごとにハイライト検出用画像の取得およびハイライトの有無の検出を繰り返す。時間Ｔ１が経過した後においてもハイライトが検出される場合は、ＣＰＵ１１７はＬＣＤ１２０に、たとえば「カメラを太陽などに向けないで下さい。」等の警告を表示する。なお、ハイライト検出用画像が取得されてから次のハイライト検出用画像が取得されるまでの間は、ＣＰＵ１１７により適正な露出値で取得された画像がＬＣＤ１２０に表示される。そして、ハイライト検出用画像が取得される際には、ＬＣＤ１２０には、ハイライト検出用画像が取得される１コマ前に取得された画像がＣＰＵ１１７により表示される。
【００２３】
警告を表示してから所定の時間、たとえば１秒経過してから、ＣＰＵ１１７は、ハイライト検出用画像を取得して、ハイライトの有無を検出する。ハイライトが検出された場合は、警告表示前と同様に、ＣＰＵ１１７は時間計測を開始して、時間Ｔ２の間は、所定の時間、たとえば１秒ごとにハイライト検出用画像の取得およびハイライトの有無の検出を繰り返す。時間Ｔ２が経過した後も依然としてハイライトが検出される場合は、ＣＰＵ１１７はＬＣＤ１２０に、たとえば「ライブビューモードを終了します。」等の警告を表示する。そしてＣＰＵ１１７は、シャッタ１０６を閉じるとともに、クイックリターンミラー１０１を図１の実線で示す位置まで回動させて、撮像素子１０７への光路を遮断する。このように、所定時間Ｔ１＋Ｔ２の間、継続して一定光量以上の入射光量が検出される場合は、ＣＰＵ１１７によりライブビューモードが強制的に終了される。なお、時間Ｔ１およびＴ２は撮像素子１０７の耐久性に依存して決定される時間である。
【００２４】
−動画モード−
操作部１２１の操作により動画モードに設定され、レリーズされた後は、ライブビューモードと同様にクイックリターンミラー１０１がアップし、シャッタ１０６が開放され、上述したように撮像素子１０７に被写体光が連続して入射する。そして、ライブビューモードの場合と同様にして、ＣＰＵ１１７は、撮像素子１０７を構成する各画素から出力される画像信号のそれぞれに基づいて、ハイライトの有無を検出する。ハイライトが検出された場合は、ＣＰＵ１１７は電子シャッタによるシャッタ速度を最速にするとともに絞り値が最大となるように絞り２０１を絞り込み、単位時間当たりの画像の露光量が最小となるように撮影条件を設定してハイライト検出用画像を再度取得する。なお、１秒ごとにハイライト検出用画像を取得するとしたが、ハイライト検出用画像を取得する周期は１秒に限るものではない。ハイライト検出画像を取得する周期は、撮像素子１０７の耐久性や撮影条件により変更してもよい。また、ハイライト検出用画像を所定の撮像回数ごとに取得してもよい。この場合、たとえば３０回撮像するごとに１回ハイライト検出用画像を撮像すればよい。
【００２５】
ハイライト検出用画像からハイライトが検出された場合は、ＣＰＵ１１７は、ライブビューモードの場合と同様に、所定時間Ｔ１の間、１秒ごとにハイライト検出用画像を取得し、ハイライトの有無を検出する。所定時間Ｔ１経過後においてもハイライトが検出される場合は、ＣＰＵ１１７は、たとえば「カメラを太陽などに向けないで下さい。」等の警告をＬＣＤ１２０に表示する。さらに警告を表示してから所定時間Ｔ２の間、１秒ごとに、ＣＰＵ１１７はハイライト検出用画像を取得して、ハイライトの有無を検出する。時間Ｔ２が経過した後も依然としてハイライトが検出される場合は、ＣＰＵ１１７はＬＣＤ１２０に、たとえば「動画モードを終了します。」等の警告を表示する。そしてＣＰＵ１１７は、シャッタ１０６を閉じるとともに、クイックリターンミラー１０１を回動させて、撮像素子１０７への光路を遮断する。この結果、ＣＰＵ１１７により動画モードが強制的に終了される。なお、動画モードにおいて取得されたハイライト検出用画像はメモリカード１２３に記録されず、さらにＬＣＤ１２０に表示されないようにＣＰＵ１１７により制御される。
【００２６】
図３〜図５に示すフローチャートを用いて、第１の実施の形態によるカメラの撮像素子１０７の保護動作を説明する。図３〜図５の各処理手順はＣＰＵ１１７でプログラムを実行して行われる。図３〜図５の各処理を行なうプログラムはメモリ（不図示）に格納されており、操作部１２１から撮影モード選択操作信号が入力されると起動される。
ステップＳ１においては、操作部１２１によりライブビューモードまたは動画モードのいずれのモードが設定されているかを判定する。ライブビューモードの場合はステップＳ２へ進む。ステップＳ２においては、サブルーチンを呼び出して、ライブビューモードにおける撮像素子１０７の保護動作を行ない、一連の処理を終了する。動画モードが設定された場合はステップＳ３へ進み、サブルーチンを呼び出して、動画モードにおける撮像素子１０７の保護動作を行ない、一連の処理を終了する。
【００２７】
ステップＳ２において実行されるライブビューモードでのサブルーチンにおける各処理について、図４に示すフローチャートを用いて説明する。
ステップＳ２０１においては、クイックリターンミラー１０１を図１の破線で示す位置まで回動し、シャッタ１０６を開いて、ステップＳ２０２へ進む。ステップＳ２０２においては、不図示のタイマにより時間計測中であることを示すフラグｉおよびｊを０にセットして、ステップＳ２０３へ進む。ステップＳ２０３においては、最適な露出値で設定された撮影条件で画像を取得してステップＳ２０４へ進む。
【００２８】
ステップＳ２０４においては、ステップＳ２０３で取得した画像を用いて、撮像素子１０７を構成する各画素から出力される画像信号に基づいて、ハイライトの有無を判定する。ハイライトが無い場合は、ステップＳ２０４が否定判定されて、ステップＳ２０６へ進み、ステップＳ２０３で取得した画像をＬＣＤ１２０に表示してステップＳ２０３へ戻る。ハイライトが有る場合は、すなわち入射光量が所定の閾値を越えている画素が有る場合は、ステップＳ２０４が肯定判定されてステップＳ２０５へ進む。
【００２９】
ステップＳ２０５においては、ステップＳ２０３で取得した画像をＬＣＤ１２０に表示してステップＳ２０７へ進む。ステップＳ２０７においては、電子シャッタによるシャッタ速度を最速に設定し、絞り値が最大になるように絞り２０１を絞込み、ハイライト検出用画像を取得してステップＳ２０８へ進む。ステップＳ２０８においては、ステップＳ２０７で取得したハイライト検出用画像を用いて、ステップＳ２０４と同様にハイライトの有無を判定する。ハイライトが有ると判定された場合は、ステップＳ２０８が肯定判定されてステップＳ２０９へ進む。
【００３０】
ステップＳ２０９においては、フラグｉが０であるか否かを判定する。フラグｉが０の場合は、ステップＳ２０９が肯定判定されてステップＳ２１０へ進む。ステップＳ２１０においては、不図示のタイマを起動して時間計測を開始するとともに、フラグｉを１に設定してステップＳ２１１へ進む。フラグｉが１の場合は、ステップＳ２０９が否定判定されて、ステップＳ２１０をスキップしてステップＳ２１１へ進む。
【００３１】
ステップＳ２１１においては、ステップＳ２１０で起動したタイマによる計測時間が所定時間Ｔ１を越えたか否かを判定する。時間Ｔ１を越えた場合は、ステップＳ２１１が肯定判定されてステップＳ２１２へ進む。ステップＳ２１２においては、ＬＣＤ１２０に、たとえば「カメラを太陽などに向けないで下さい。」等の警告を表示してステップＳ２１３へ進む。
【００３２】
ステップＳ２１３においては、ステップＳ２１０で起動したタイマを停止してステップＳ２１４へ進む。ステップＳ２１４においては、ステップＳ２０３と同様に、最適な露出値に設定された撮影条件で画像を取得してステップＳ２１５へ進む。ステップＳ２１５においては、ステップＳ２１４で取得した画像をＬＣＤ１２０に表示してステップＳ２１６へ進む。ステップＳ２１６においては、ステップＳ２１２で警告を表示してから１秒経過したか否かを判定する。１秒経過していない場合は、ステップＳ２１６が否定判定されてステップＳ２１４へ戻る。１秒経過した場合は、ステップＳ２１６が肯定判定されてステップＳ２１７へ進む。ステップＳ２１７（ハイライト検出用画像取得）およびステップＳ２１８（ハイライトの有無判定）の各処理は、ステップＳ２０７（ハイライト検出用画像取得）およびステップＳ２０８（ハイライトの有無判定）の各処理と同様の処理を実行する。
【００３３】
ステップＳ２１９においては、フラグｊが０であるか否かを判定する。フラグｊが０の場合は、ステップＳ２１９が肯定判定されてステップＳ２２０へ進む。ステップＳ２２０においては、不図示のタイマを起動して時間計測を開始するとともに、フラグｊを１にセットしてステップＳ２２１へ進む。フラグｊが１の場合は、ステップＳ２１９が否定判定されて、ステップＳ２２０をスキップしてステップＳ２２１へ進む。
【００３４】
ステップＳ２２１においては、ステップＳ２２０で起動したタイマによる計測時間が所定時間Ｔ２を越えたか否かを判定する。所定時間Ｔ２を越えない場合は、ステップＳ２２１が否定判定されてステップＳ２１４へ戻る。所定時間Ｔ２を越えた場合は、ステップＳ２２１が肯定判定されてステップＳ２２２へ進む。
【００３５】
ステップＳ２２２においては、ＬＣＤ１２０に、たとえば「ライブビューモードを終了します。」等の警告を表示して、ステップＳ２２３へ進む。ステップＳ２２３においては、クイックリターンミラー１０１を図１の実線で示す位置まで回動し、シャッタ１０６を閉じて一連の処理を終了する。
【００３６】
ステップＳ２０８が否定判定されて進んだステップＳ２２４においては、フラグｉが１か否かを判定する。フラグｉが１の場合は、ステップＳ２２４が肯定判定されてステップＳ２２５へ進む。ステップＳ２２５においては、ステップＳ２１０で起動したタイマを停止してステップＳ２０２へ戻る。フラグｉが０の場合は、ステップＳ２２４が否定判定されてステップＳ２０２へ戻る。
【００３７】
ステップＳ２１１が否定判定されて進んだステップＳ２２６（画像取得）からステップＳ２２８（１秒経過判定）までの各処理は、ステップＳ２１４（画像取得）からステップＳ２１６（１秒経過判定）までの各処理と同様の処理を行なう。
【００３８】
ステップＳ２１８が否定判定されて進んだステップＳ２２９においては、フラグｊが１か否かを判定する。フラグｊが１の場合は、ステップＳ２２９が肯定判定されてステップＳ２３０へ進む。ステップＳ２３０においては、ステップＳ２２０で起動したタイマを停止してステップＳ２３１へ進む。フラグｊが０の場合は、ステップＳ２２９が否定判定されてステップＳ２３１へ進む。ステップＳ２３１においては、ステップＳ２１２でＬＣＤ１２０に表示した警告を消去して、ステップＳ２０２へ戻る。
【００３９】
ステップＳ３において実行される動画モードでのサブルーチンにおける各処理について、図５に示すフローチャートを用いて説明する。
ステップＳ３０１においては、操作部１２１によりレリーズされたか否かを判定する。レリーズされない場合は、ステップＳ３０１が否定判定されてステップＳ３０１の判定を繰り返す。レリーズされた場合は、ステップＳ３０１が肯定判定されてステップＳ３０２へ進む。ステップＳ３０２（ミラーアップおよびシャッタ開）からステップＳ３３２（警告消去）までの各処理は、図４のフローチャートにおけるステップＳ２０１（ミラーアップおよびシャッタ開）からステップＳ２３１（警告消去）までの各処理と同様の処理を行なう。
【００４０】
以上で説明した第１の実施の形態におけるカメラによれば、以下の作用効果が得られる。
（１）ライブビューモードまたは動画モードによりＬＣＤ１２０に画像を表示している際に、撮像素子１０７からの画像信号の中に一定光量以上の出力を有する高輝度被写体を示す信号が時間Ｔ１の間継続して含まれると判定されると、ＣＰＵ１１７はＬＣＤ１２０に警告を表示するようにした。したがって、太陽などの高輝度の被写体からの入射光により撮像素子１０７の焼き付きの可能性があることを使用者に警告するので、使用者は撮像素子１０７を保護するために必要な措置をとることができる。
【００４１】
（２）ＣＰＵ１１７は、電子シャッタによるシャッタ速度を最速に設定し、絞り値が最大となるように絞り２０１を絞り込んで、単位時間当たりの露光量が最小となるように露光値を設定して１コマの画像を取得する。そして、ＣＰＵ１１７は取得した１コマの画像を用いて、撮像素子１０７からの画像信号の中に一定光量以上の出力を有する高輝度被写体を示す信号が含まれているか否かを検出するようにした。すなわち、高輝度の被写体を撮影する際の所定の撮影条件において，ＣＰＵ１１７が、撮像素子１０７の出力が所定の閾値を越えることを検出するので、撮像素子１０７を焼き付けさせる可能性の高い、太陽などの高輝度の被写体を確実に検出することができる。
【００４２】
（３）ＬＣＤ１２０に警告を表示した後に、クイックリターンミラー１０１を図１の実線で示す位置まで回動するとともに、シャッタ１０６を全閉するようにした。したがって、撮像素子１０７への被写体光の入射が遮断されるので、撮像素子１０７の焼き付きを確実に防ぐことができる。
【００４３】
（４）ＬＣＤ１２０に警告が表示された後でもなお、撮像素子１０７からの画像信号の中に一定光量以上の出力を有する高輝度被写体を示す信号が所定時間Ｔ２の間継続して含まれる場合は、ＣＰＵ１１７はクイックリターンミラー１０１およびシャッタ１０６を用いて、撮像素子１０７への被写体光が入射する光路を遮断するようにした。したがって、警告表示後に即座にライブビューモードまたは動画モードが終了しないので、使用者は、カメラを異なる方向に向けたり、撮影を終了したりするなどの対応を選択することができる。
【００４４】
−第２の実施の形態−
第２の実施の形態におけるカメラは、図１および図２に示す第１の実施の形態のカメラと同一の構成を有する。以下、第１の実施の形態における撮像素子１０７の保護動作と相違する点を主に説明する。第１の実施の形態のカメラは、撮像素子１０７の全画素に対して時間Ｔ１、Ｔ２の間、閾値を越える画像信号を出力する画素の有無を監視して、警告とライブビューモードおよび動画モードの中止処理を実行した。第２の実施の形態のカメラでは、撮像素子１０７の特定画素に対して時間Ｔ１、Ｔ２の間、閾値を越える画像信号を出力する画素を監視して、警告とライブビューモードおよび動画モードの中止処理を実行する。
【００４５】
−ライブビューモード−
ライブビューモードに設定されると、ＣＰＵ１１７は、撮像素子１０７を構成するぞれぞれの画素からの画像信号に基づいて、第１の実施の形態の場合と同様にハイライトの有無を検出する。ハイライトが検出されると、ＣＰＵ１１７は、入射光量が所定の閾値を越えている画素の座標を所定の記録領域に記録する。そして、ＣＰＵ１１７は、第１の実施の形態におけるライブビューモードの場合と同様に、再度ハイライト検出用画像を取得する。
【００４６】
ＣＰＵ１１７は、取得したハイライト検出用画像を用いて、ハイライトの有無を検出する。ハイライトが検出された場合は、ＣＰＵ１１７は、入射光量が所定の閾値を越える画素の座標が、先に記録した画素の座標と一致するか否かを判定する。それぞれの画素の座標が一致する場合に、ＣＰＵ１１７は、時間Ｔ１の間、たとえば１秒ごとにハイライト検出用画像の取得、ハイライトの有無の検出および同一画素か否かの判定を繰り返す。時間Ｔ１が経過した後に、同一画素への入射光量が所定値を超える場合は、ＣＰＵ１１７はＬＣＤ１２０に、たとえば「カメラを太陽などに向けないで下さい。」等の警告を表示する。なお、ハイライト検出用画像が取得される際には、ＬＣＤ１２０には、第１の実施の形態と同様に、１コマ前に取得された画像がＣＰＵ１１７により表示される。
【００４７】
警告を表示してから、ＣＰＵ１１７は、時間Ｔ２の間、１秒ごとにハイライト検出用画像の取得、ハイライトの有無の検出および同一画素か否かの判定を繰り返す。時間Ｔ２が経過した後にも同一画素への入射光量が所定の閾値を越える場合は、ＣＰＵ１１７はＬＣＤ１２０に、たとえば「ライブビューモードを終了します。」等の警告を表示する。そしてＣＰＵ１１７は、シャッタ１０６を閉じるとともに、クイックリターンミラー１０１を図１の実線で示す位置まで回動させて、撮像素子１０７への光路を遮断する。この結果、所定時間Ｔ１＋Ｔ２の間、継続して同一画素に一定光量以上の入射光量が検出される場合は、ＣＰＵ１１７によりライブビューモードが強制的に終了される。
【００４８】
−動画モード−
動画モードに設定されレリーズされた後は、ＣＰＵ１１７は、撮像素子１０７を構成するそれぞれの画素からの画像信号に基づいて、第１の実施の形態の場合と同様にハイライトの有無を検出する。ハイライトが検出されると、ライブビューモードの場合と同様に、ＣＰＵ１１７は入射光量が所定の閾値を越える画素の座標を所定の記録領域に記録する。そして、第１の実施の形態における動画モードの場合と同様にして、ＣＰＵ１１７はハイライト検出用画像を再度取得する。
【００４９】
以後、ライブビューモードの場合と同様に、ＣＰＵ１１７は所定時間Ｔ１の間、１秒ごとに取得したハイライト検出用画像を用いてハイライトの有無の判定および同一画素か否かの判定を繰り返す。そして、所定時間Ｔ１が経過後に、同一画素への入射光量が閾値を超える場合は、ＣＰＵ１１７はＬＣＤ１２０に、たとえば「カメラを太陽などに向けないで下さい。」等の警告を表示する。さらに警告を表示してから所定時間Ｔ２の間、１秒ごとに、ＣＰＵ１１７はハイライト検出用画像を取得して、ハイライトの有無を検出および同一画素か否かを判定する。時間Ｔ２が経過して同一画素への入射光量が所定の閾値を超える場合は、ＣＰＵ１１７はＬＣＤ１２０に、たとえば「動画モードを終了します。」等の警告を表示する。そしてＣＰＵ１１７は、シャッタ１０６を閉じるとともに、クイックリターンミラー１０１を回動させて、撮像素子１０７への光路を遮断して、動画モードを強制的に終了する。
【００５０】
図６〜図７に示すフローチャートを用いて、第２の実施の形態によるカメラの撮像素子１０７の保護動作を説明する。図６〜図７の各処理手順はＣＰＵ１１７でプログラムを実行して行われる。図６〜図７の各処理を行なうプログラムはメモリ（不図示）に格納されている。図６の処理を行なうプログラムは、図３においてステップＳ２に進むと起動され、図７の処理を行なうプログラムは、図３のステップＳ３に進むと起動される。
図６のステップＳ４０１（ミラーアップ、シャッタ開）からステップＳ４０４（ハイライトの有無判定）までの各処理は、図４のステップＳ２０１（ミラーアップ、シャッタ開）からステップＳ２０４（ハイライトの有無判定）までの各処理と同様の処理を行なう。ステップＳ４０５においては、ステップＳ４０４で検出した入射光量が所定の閾値を越える画素の座標を記録してステップＳ４０６へ進む。
【００５１】
ステップＳ４０６（画像表示）からステップＳ４０９（ハイライトの有無判定）までの各処理は、ステップＳ２０５（画像表示）からステップＳ２０８（ハイライトの有無判定）までの各処理と同様の処理を行なう。ステップＳ４１０においては、ステップＳ４０９で検出した入射光量が所定の閾値を越える画素の座標が、ステップＳ４０５で記録した画素の座標と一致するか否かを判定する。座標が一致する場合は、ステップＳ４１０が肯定判定されてステップＳ４１１へ進む。座標が一致しない場合は、ステップＳ４１０が否定判定されてステップＳ４２７へ進む。
【００５２】
ステップＳ４１１（フラグｉ＝０の判定）からステップＳ４２０（ハイライトの有無判定）までの各処理は、ステップＳ２０９（フラグｉ＝０の判定）からステップＳ２１８（ハイライトの有無判定）までの各処理と同様の処理を行なう。ステップＳ４２１においては、ステップＳ４１０と同様に、ステップＳ４２０で検出した入射光量が所定の閾値を越える画素の座標が、ステップＳ４０５で記録した画素の座標と一致するか否かを判定する。座標が一致する場合は、ステップＳ４２１が肯定判定されてステップＳ４２２へ進む。座標が一致しない場合は、ステップＳ４２１が否定判定されてステップＳ４３２へ進む。ステップＳ４２２（フラグｊ＝０の判定）からステップＳ４３４（警告消去）までの各処理は、ステップＳ２１９（フラグｊ＝０の判定）からステップＳ２３１（警告消去）までの各処理と同様の処理を行なう。
【００５３】
次に、図７を用いて動画モードに設定された場合の撮像素子１０７の保護動作について説明する。
ステップＳ５０１（レリーズ押下判定）からステップＳ５０５（ハイライトの有無判定）までの各処理は、図５のステップＳ３０１（レリーズ押下判定）からステップＳ３０５（ハイライトの有無判定）までの各処理と同様の処理を行なう。ステップＳ５０６においては、ステップＳ５０５で検出した入射光量が所定の閾値を越える画素の座標を記録してステップＳ５０７へ進む。
【００５４】
ステップＳ５０７（画像表示）からステップＳ５１０（ハイライトの有無判定）までの各処理は、ステップＳ３０６（画像表示）からステップＳ３０９（ハイライトの有無判定）までの各処理と同様の処理を行なう。ステップＳ５１１においては、ステップＳ５１０で検出した入射光量が所定の閾値を越える画素の座標が、ステップＳ５０６で記録した画素の座標と一致するか否かを判定する。座標が一致する場合は、ステップＳ５１１が肯定判定されてステップＳ５１２へ進む。座標が一致しない場合は、ステップＳ５１１が否定判定されてステップＳ５２８へ進む。
【００５５】
ステップＳ５１２（フラグｉ＝０の判定）からステップＳ５２１（ハイライトの有無判定）までの各処理は、ステップＳ３１０（フラグｉ＝０の判定）からステップＳ３１９（ハイライトの有無判定）までの各処理と同様の処理を行なう。ステップＳ５２２においては、ステップＳ５１１と同様に、ステップＳ５２１で検出した入射光量が所定の閾値を越える画素の座標が、ステップＳ５０６で記録した画素の座標と一致するか否かを判定する。座標が一致する場合は、ステップＳ５２２が肯定判定されてステップＳ５２３へ進む。座標が一致しない場合は、ステップＳ５２２が否定判定されてステップＳ５３３へ進む。ステップＳ５２３（フラグｊ＝０の判定）からステップＳ５３５（警告消去）までの各処理は、ステップＳ３２０（フラグｊ＝０の判定）からステップＳ３３２（警告消去）までの各処理と同様の処理を行なう。
【００５６】
以上で説明した第２の実施の形態のカメラによれば、第１の実施の形態のカメラで得られる作用効果に加えて、以下の作用効果が得られる。
ＣＰＵ１１７は、撮像素子１０７の特定画素からの出力が所定時間Ｔ１およびＴ２の間所定の閾値を越える場合に、警告表示、および撮像素子１０７への入射光の光路を遮断するようにした。したがって、太陽などの高輝度の被写体からの入射光が撮像素子１０７の特定の場所に長時間結像して、撮像素子１０７を焼き付きするという事態を防止することができる。
【００５７】
以上で説明した実施の形態のカメラによる撮像素子１０７の保護動作を、以下のように変形できる。
（１）撮像素子１０７を構成するそれぞれの画素から出力される画像信号に基づいてハイライトを検出するものに代えて、被写体のシーン解析を行なって太陽などの高輝度光源を検出してハイライト検出を行ってもよい。シーン解析は、撮像素子１０７から出力されるＲＧＢ各色の色情報に基づいて、各画素の色温度を算出して行なわれる。この場合、ＣＰＵ１１７は、ハイライト検出用画像において、高輝度光源が検出された領域と対応する領域について図４または図５で説明した撮像素子１０７の保護動作を実行すればよい。
【００５８】
（２）ハイライト検出用画像を取得する際に、電子シャッタによるシャッタ速度を最速に設定し、絞り値が最大になるように絞り２０１を絞り込むものに加えて、ＩＳＯ感度を最小に設定してもよい。
（３）撮像素子１０７のダイナミックレンジが広い場合であれば、ハイライト検出用画像の取得に際して、電子シャッタによるシャッタ速度および絞り２０１の制御値を露出最小となる値に設定しなくてもよい。この場合、シャッタ速度や絞り値により設定された所定の露出により撮像したハイライト検出用画像により算出された入射光量が、撮像素子の耐久を考慮して決定された所定の入射光量以上である際に、高輝度被写体を撮像中と判定すればよい。
【００５９】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００６０】
【図１】本発明の実施の形態におけるカメラの要部構成を説明する図である。
【図２】実施の形態におけるカメラの制御系の回路構成を説明するブロック図である。
【図３】第１の実施の形態におけるカメラの撮像素子保護動作を説明するフローチャートである。
【図４】ライブビューモードにおける撮像素子保護動作を説明するフローチャートである。
【図５】動画モードにおける撮像素子保護動作を説明するフローチャートである。
【図６】第２の実施の形態におけるライブビューモードでの撮像素子保護動作を説明するフローチャートである。
【図７】第２の実施の形態における動画モードでの撮像素子保護動作を説明するフローチャートである。
【符号の説明】
【００６１】
１０１  クイックリターンミラー          １０６  シャッタ
１０７  撮像素子                        １１７  ＣＰＵ
１２０  ＬＣＤ
【図１】
2008219712.tif 000003
【図２】
2008219712.tif 000004
【図３】
2008219712.tif 000005
【図４】
2008219712.tif 000006
【図５】
2008219712.tif 000007
【図６】
2008219712.tif 000008
【図７】
2008219712.tif 000009